(57)【要約】  一体化されたカメラを有するカメラ電話は、本体を有し、本体は、本体の中央及び第一端部（２７）に配置された薄肉部分と、第二端部に配置された主要部分と連続する厚肉部分（１４）とを有する。厚肉部分は、主要部分の最大厚さよりも少なくとも２．５％大きな厚さを有する。デジタル結像センサが厚肉部分内に実質的に提供される（４２）。選択的な第二薄肉部分（２６）が、第一薄肉部分に隣接して提供され得る。
2008535315.tif 000002
【特許請求の範囲】
【請求項１】
本体を含み、該本体は、その中央部及び第一端部に配置される薄肉部分と、第二端部に配置される前記主要部分と連続する厚肉部分とを有し、前記厚肉部分は、前記主要部分の最大の厚さよりも少なくとも２．５％大きい厚さを有し、
カメラを含み、該カメラは、前記厚肉部分内に配置される、デジタル結像センサと、レンズとを含む、
一体的なカメラを有する携帯電話。
【請求項２】
前記第一端部で前記薄肉部分と回転可能に接続される第二薄肉部分をさらに含む、請求項１に記載の携帯電話。
【請求項３】
前記厚肉部分は、前記第二薄肉部分よりも大きな厚さを有する、請求項２に記載の携帯電話。
【請求項４】
前記厚肉部分は、実質的に前記薄肉部分及び前記第二薄肉部分の一体的な厚さ以下の厚さを有する、請求項２に記載の携帯電話。
【請求項５】
前記第二薄肉部分は、前記主要部分以下の長さを有する、請求項１に記載の携帯電話。
【請求項６】
前記第一薄肉部分は、前記第二薄肉部分以下の長さを有する、請求項１に記載の携帯電話。
【請求項７】
前記主要部分の長さは、その幅よりの大きく、前記主要部分の幅は、その厚さよりの大きい、請求項１に記載の携帯電話。
【請求項８】
前記センサは、当該携帯電話の長さの広がりと平行な線に対して実質的に垂直に配置される平面的な表面を有する、請求項１に記載の携帯電話。
【請求項９】
前記レンズは、前記厚肉部分の前記端面に配置される、請求項８に記載の携帯電話。
【請求項１０】
前記センサは、当該携帯電話の深さの広がりと平行な線に対して実質的に垂直に配置される平面的な表面を有する、請求項１に記載の携帯電話。
【請求項１１】
前記レンズは、前記厚肉部分の正面又は背面の上に配置される、請求項１０に記載の携帯電話。
【請求項１２】
前記センサは、当該携帯電話の幅の広がりと平行な線に対して実質的に垂直に配置される平面的な表面を有する、請求項１に記載の携帯電話。
【請求項１３】
前記レンズは、前記厚肉部分の側面の上に配置される、請求項１２に記載の携帯電話。
【請求項１４】
前記センサは、ＣＭＯＳセンサである、請求項１０に記載の携帯電話。
【請求項１５】
前記カメラの光路が、鏡を組み込む折畳み経路である、請求項１に記載の携帯電話。
【請求項１６】
前記薄肉部分に対する前記第二薄肉部分の回転が、１８０度よりも大きい、請求項２に記載の携帯電話。
【請求項１７】
前記主要部分又は前記厚肉部分内に配置される画像を収集するためのシャッタートリガ機構をさらに含む、請求項２に記載の携帯電話。
【請求項１８】
前記薄肉部分及び前記第二薄肉部分が互いに対して回転されないときに、前記薄肉部分に面する、前記第二薄肉部分内に配置されるディスプレイをさらに含む、請求項２に記載の携帯電話。
【請求項１９】
前記第二薄肉部分は回転され、使用者に面して配置され、前記厚肉部分内の前記センサはシーンに面し、画像が収集される、請求項１６に記載の携帯電話。
【請求項２０】
前記厚肉部分内に配置されるマイクロフォン又はスピーカをさらに含む、請求項１に記載の携帯電話。
【請求項２１】
前記厚肉部分内に配置される光学ズーム素子をさらに含む、請求項１に記載の携帯電話。
【請求項２２】
前記厚肉部分内に配置される可撓の引込可能なレンズカバーをさらに含む、請求項１に記載の携帯電話。
【請求項２３】
前記センサは、前記薄肉部分の少なくとも一部の内部に延在する、請求項１に記載の携帯電話。
【請求項２４】
前記センサは、当該携帯電話の前記平坦側と平行に位置する、請求項２３に記載の携帯電話。
【請求項２５】
前記第二薄肉部分は、非使用状態において前記レンズを覆う、請求項２３に記載の携帯電話。
【請求項２６】
前記薄肉部分は、画像をキャプチャするために前記レンズが物体に向けられるときに、当該携帯電話におけるディスプレイが使用者に向くよう回転される、請求項２３に記載の携帯電話。
【請求項２７】
前記厚肉部分は、前記主要部分の最大の厚さよりも少なくとも１０％大きい厚さを有する、請求項１に記載の携帯電話。
【請求項２８】
前記厚肉部分は、前記主要部分の最大の厚さよりも少なくとも２５％大きい厚さを有する、請求項１に記載の携帯電話。
【請求項２９】
前記厚肉部分は、前記主要部分の厚さの約２倍の厚さを有する、請求項１に記載の携帯電話。
【請求項３０】
ａ）本体を含み、該本体は、その中央部及び第一端部に配置される薄肉部分と、第二端部に配置される前記主要部分と連続する厚肉部分とを有し、該厚肉部分は、前記主要部分の最大の厚さよりも少なくとも１０％大きい厚さを有し、
ｂ）前記第一端部で前記薄肉部分と回転可能に接続される第二薄肉部分を含み、
ｃ）前記厚肉部分内に配置されるデジタル結像センサとレンズとを含むカメラを含む、
一体的なカメラを有する携帯電話。
【請求項３１】
前記第二薄肉部分は、前記主要部分以下の長さを有する、請求項３０に記載の携帯電話。
【請求項３２】
前記第一薄肉部分は、前記第二薄肉部分以下の長さを有する、請求項３０に記載の携帯電話。
【請求項３３】
前記主要部分の長さは、その幅よりも大きく、前記主要部分の幅は、その厚さよりも大きい、請求項３０に記載の携帯電話。
【請求項３４】
前記センサは、当該携帯電話の長さの広がりと平行な線に対して実質的に垂直に配置される平面的な表面を有する、請求項３０に記載の携帯電話。
【請求項３５】
前記レンズは、前記厚肉部分の前記端面に配置される、請求項３１に記載の携帯電話。
【請求項３６】
前記センサは、当該携帯電話の深さの広がりと平行な線に対して実質的に垂直に配置される平面的な表面を有する、請求項３０に記載の携帯電話。
【請求項３７】
前記レンズは、前記厚肉部分の正面又は背面の上に配置される、請求項３６に記載の携帯電話。
【請求項３８】
前記センサは、当該携帯電話の幅の広がりと平行な線に対して実質的に垂直に配置される平面的な表面を有する、請求項３０に記載の携帯電話。
【請求項３９】
前記レンズは、前記厚肉部分の側面の上に配置される、請求項３９に記載の携帯電話。
【請求項４０】
前記センサは、ＣＭＯＳセンサである、請求項３６に記載の携帯電話。
【請求項４１】
前記カメラの光路は、鏡を組み込む折畳み経路である、請求項３０に記載の携帯電話。
【請求項４２】
前記薄肉部分に対する前記第二薄肉部分の回転は、１８０度よりも大きい、請求項３０に記載の携帯電話。
【請求項４３】
前記主要部分又は前記厚肉部分内に配置される画像を収集するためのシャッタートリガ機構をさらに含む、請求項３０に記載の携帯電話。
【請求項４４】
前記薄肉部分及び前記第二薄肉部分が互いに対して回転されないときに、前記薄肉部分に面する、第二薄肉部分内に配置されるディスプレイをさらに含む、請求項３０に記載の携帯電話。
【請求項４５】
前記第二薄肉部分は回転され、使用者に面して配置され、前記厚肉部分内のセンサはシーンに面し、画像が収集される、請求項４２に記載の携帯電話。
【請求項４６】
前記厚肉部分内に配置されるマイクロフォン又はスピーカをさらに含む、請求項３０に記載の携帯電話。
【請求項４７】
前記厚肉部分内に配置される光学ズーム素子をさらに含む、請求項３０に記載の携帯電話。
【請求項４８】
前記厚肉部分内に配置される可撓な引込可能なレンズカバーをさらに含む、請求項３０に記載の携帯電話。
【請求項４９】
前記センサは、前記薄肉部分の少なくとも一部の内部に延在する、請求項３１に記載の携帯電話。
【請求項５０】
前記センサは、当該携帯電話の前記平坦側と平行に位置する、請求項４９に記載の携帯電話。
【請求項５１】
前記第二薄肉部分は、非使用状態において前記レンズを覆う、請求項４９に記載の携帯電話。
【請求項５２】
前記薄肉部分は、画像をキャプチャするために前記レンズが対象に向けられるときに、当該携帯電話における前記ディスプレイが使用者に面するよう回転される、請求項４９に記載の携帯電話。
【請求項５３】
前記厚肉部分は、前記主要部分の最大の厚さよりも少なくとも１０％大きい厚さを有する、請求項３０に記載の携帯電話。
【請求項５４】
前記厚肉部分は、前記主要部分の最大の厚さよりも少なくとも２５％大きい厚さを有する、請求項３０に記載の携帯電話。
【請求項５５】
前記厚肉部分は、前記主要部分の厚さの約２倍の厚さを有する、請求項３０に記載の携帯電話。
【発明の詳細な説明】
【技術分野】
【０００１】
本発明はカメラ電話に関し、より具体的には、カメラ電話における大きなセンサの使用に関する。
【背景技術】
【０００２】
携帯電話（セルラー電話）、セルラー通信ネットワークに無線で接続される携帯電話が、多くの国々において広範に使用されており、そのような装置を支持する技術は良く発達され、急速に前方に動いている。近年、携帯電話内へのカメラの組み込みが一般的になり、当該技術分野において既知である。例えば、画像キャプチャ装置を備える送受信機」と題するＧＢ２３９６９９４Ａは、「画像キャプチャ装置を備える送受信機」と題するＷＯ２００４０５９９６５Ａ１と同様に、携帯電話内に取り付けられるカメラを記載している。
【０００３】
一端にある回転可能なヒンジについて開閉する２つの構成部品を備えるセルラー電話を含む様々な構造が既知である。例えば、「写真撮影制御機能を備えるカメラを有する折畳式セルラー通信端子及び端子における写真撮影制御方法」と題するＵＳ２００４０１６６８２９Ａ１は、写真撮影機能を有し且つ開閉可能な折畳式移動通信端末を開示している。折畳式移動通信端子は、折畳み部分が閉塞されているか否かを検出し、折畳み部分が閉塞されているならば、写真撮影機能を無効にする。
【０００４】
キャプチャ画像を視聴するためのディスプレイ及び回転可能又は摺動可能な素子を有する携帯電話も、特許文献に記載されている。「回転ディスプレイ及び２つのカメラを有する携帯電話」と題するＥＰ１３５７７２６Ａ１は、コンソール部分を有する下方ユニット、ディスプレイ部分を有する上方ユニット、上方ユニット及び下方ユニットを開放可能にするよう下方ユニットを上方ユニットに結合するためのヒンジ部分とを含み、上方ユニットは、ディスプレイ部分ユニットと、支持部分ユニットと、回転及び摺動機構とから成る、折畳可能な携帯電話セットを記載している。
【０００５】
カメラ電話は、典型的には、画像収集装置として働く結像モジュールを含む。センサ、典型的には、ＣＭＯＳは、レンズ素子を備えるパッケージであり、完全なユニットを形成するよう取り付けられる。サイズ及び出力はカメラ電話における重要な制約であるので、構成部品の技術的能力は非常に抑制される。そのようなモジュールの多くの設計が、当該技術分野において既知であり、且つ、一般的に利用可能である。例えば、「画像検知モジュール」と題する米国特許出願２００４０２３３３１９Ａ１は、回路板と、回路板上に取り付けられ且つ電気的に結合される画像センサと、画像センサが、光学レンズユニットを通じて物体画像を収集し、且つ、物体画像に対応する電気的出力を発生するよう、回路板上に取り付けられ且つ画像センサと動作的に関連付けられる光学レンズユニットと、画像センサの電気的出力を受け取るよう、回路板上に取り付けられ且つ回路板に電気的に結合される入力ポートを有する電気コネクタと、リボンケーブルに電気的に結合されるよう構成される出力ポートとを含む、そのような画像感知モジュールを記載している。「光学系及び画像ピックアップ装置」と題する米国特許出願２００４０２２７８３８Ａ１は、代替的な設計を記載している。
【０００６】
カメラ電話のサイズの制約の故に、結像モジュールの光学素子及び設計は制限される。「レンズ系」と題する米国特許出願２００４０２１２９０１Ａ１は、コンパクトなテレセントリック設計を記載している。しかしながら、サイズは全ての画像モジュールにとって重大な問題であり、レンズ設計はカメラ電話にとって重大な問題である。
【０００７】
「カメラを備える携帯電話」と題するＥＰ１２６７５７６Ａ２は、カメラが、カメラ電話の２つの部分を接続する回転可能なヒンジ内に取り付けられることを提案している。しかしながら、そのような構成は、依然として、カメラ電話のための利用可能な空間を非常に制限する。
【０００８】
サイズの制約に対処しようと努力して、様々な発明者が様々な構造を提案した。「カメラを備える移動端末装置」と題する米国特許出願２００４０２２８０７５Ａ１は、第一ケーシングと第二ケーシングとを接続する接続部と、接続部内に配置されるカメラモジュールとを含むカメラを備える移動電話装置を記載している。このようにして、カメラモジュール内に光軸のための十分な長さを得ることができる。しかしながら、この設計は、カメラ電話を開閉するために、使用者がカメラ電話の２つの半体を光軸について回転することを要求する。故に、このアプローチの使用性は疑問である。
【発明の開示】
【発明が解決しようとする課題】
【０００９】
カメラ電話によって収集される画像の品質を向上しようと努力して、製造業者は、カメラ電話内で利用されるセンサの解像度を増大した。これはセンサによってキャプチャされる画素の数を増大するが、それはキャプチャされる情報の品質を向上しない。より大きな画素はより多くの光子をキャプチャし、センサの信号対雑音比を向上するので、キャプチャされる情報の品質は、画素の物理的サイズに依存する。もしセンサの物理的サイズが一定であるのに対し、センサの解像度が増大されるならば、画素サイズ自体は減少され、相対的雑音レベルは増大される。従って、そのようなセンサは、不十分な微光又は高速性能を有しがちである。従って、微光及び高速条件において改良された画像品質を有する改良されたカメラ電話の必要がある。
【課題を解決するための手段】
【００１０】
１つの実施態様によれば、
ａ）本体を含み、本体は、その中央部及び第一端部に配置される薄肉部分と、第二端部に配置される主要部分と連続的する厚肉部分とを有し、厚肉部分は、主要部分の最大の厚さよりも少なくとも２．５％大きい厚さを有し、
ｂ）カメラを含み、カメラは、厚肉部分内に配置される、デジタル結像センサと、レンズとを含む、
一体的なカメラを有する携帯電話が提供される。
【００１１】
本発明の他の特徴によれば、
ａ）本体を含み、本体は、その中央部及び第一端部に配置される薄肉部分と、第二端部に配置される主要部分と連続する厚肉部分とを有し、厚肉部分は、主要部分の最大の厚さよりも少なくとも１０％大きい厚さを有し、
ｂ）第一端部で薄肉部分と回転可能に接続される第二薄肉部分を含み、
ｃ）厚肉部分内に配置されるデジタル結像センサとレンズとを含むカメラを含む、
一体的なカメラを有する携帯電話が提供される。
【００１２】
本発明の利点は、改良された画像品質及び使用性を有するカメラ電話である。本発明のこれらの並びに他の特徴、目的、機能、及び、利点は、好適実施態様の以下の詳細な記載並びに付属の請求項を検討し、添付の図面を参照することによって、より明らかに理解されよう。
【００１３】
以下の本発明の好適実施態様の詳細な記載において、添付の図面が参照される。
【発明を実施するための最良の形態】
【００１４】
図１及び２を参照すると、本発明に従ったカメラ電話の１つの実施態様は、本体１０と、カメラ１６とを有し、本体１０は、本体の中央及び第一端部に配置された厚さＴ１を備える薄肉部分１２と、第二端部に配置された薄肉部分１２と連続する厚肉部分１４とを有し、厚肉部分１４は、主要な薄肉部分１２の最大の厚さＴ１よりも大きな厚さＴ２を有し、カメラ１６は、厚肉部分１４に配置されたデジタル結像センサ２０とレンズ２２とを含む。センサは、典型的には平面的であり、シリコン集積回路を含み、一般的にはＣＭＯＳデバイスであるが、必ずしもそうではない。好ましくは、Ｔ２はＴ１よりも少なくとも１０％大きい。例証されている具体的な実施態様において、Ｔ２はＴ１の約２倍である。
【００１５】
図３ａを参照すると、本発明の第二実施態様において、第二薄肉部分２６が、例えば、ヒンジ１８によって、第一端部２７で薄肉部分１２と回転可能に接続されている。第二薄肉部分２６の厚さＴ３は、薄肉部分１２の厚さＴ１以下である。好適実施態様において、厚肉部分１４は、薄肉部分１２及び第二薄肉部分２６の厚さＴ１及びＴ３の合計と実質的に等しい厚さを有する。図３及び４に示されるように、好適な配置では、カメラ電話の全体的な厚さが増大されないよう、第二薄肉部分２６は厚肉部分１４の上に延在しない。このようにして、カメラ電話の全体的な幅を実際的に増大せずに、センサ２０及びレンズ２２又は複数のレンズ素子を含む結像モジュールのために、より大きな空間が厚肉部分１４内に提供され得る。一部の市販のカメラ電話では、各薄肉部分１２，２６は、約１ｃｍの厚さであり、従って、光路のための利用可能な空間は、１ｃｍに限定される。本発明によれば、２倍の距離を有する光路３０が提供される。図３ｂを参照すると、第二薄肉部分２６は、当該技術分野において周知であり且つ商業的に入手可能な設計を使用して、カメラ電話を開放するために、ヒンジ１８について回転され得る。
【００１６】
カメラ電話の薄肉部分１２及び２６は、例えば、カメラ電話上に一般的に見られる選択ボタン２８及びディスプレイ４０を含む使用者インターフェースを支持するために利用される。図４を参照すると、本発明のさらなる実施態様において、カメラ電話は、画像を収集するために、レンズ２２と関連付けられたボタン又は他のシャッタートリガ機構４２を含む。そのようなシャッタートリガ機構４２は、電子的或いは機械的であり得るし、図示されるように、厚肉部分１４上に、或いは、薄肉部分１２上に、或いは、第二薄肉部分２６上に取り付けられ得る。図４に示されるように、この構成を用いて使用可能な画像ディスプレイインターフェースを提供する１つの方法は、第二薄肉部分を２７０度回転することによって開放し、ディスプレイ４０が使用者に面し且つ（図１及び２に例証されるように）レンズ及びセンサがキャプチャされるべきシーンに向けられた状態で、それを保持することである。代替的に、薄肉部分は、レンズが物体に向けられるときに、ディスプレイ４０が破線で示されるように使用者に面するよう、薄肉部分が回転／移動し得るように、如何なる適切な方法でも取り付けられ得る。次に、シャッタートリガ機構は、シーンをキャプチャするために始動され得る。この構成において、ディスプレイ４０は、薄肉部分１２及び第二薄肉部分２６が互いに対して回転されないときに、薄肉部分に面する第二薄肉部分に配置される。
【００１７】
従来技術の典型的なカメラ電話において、カメラ電話の本体は、その幅よりも大きな長さを有し、その厚さよりも大きな幅を有する。本発明において、結像モジュール内のセンサ及びレンズのために、様々な構成が利用され得る。図５ａを参照すると、１つの構成において、センサは、携帯電話の長さの広がりと平行な線６０に対して実質的に垂直に配置された平面的な表面を有する。この構成では、画像は、カメラ電話の各面をキャプチャされるべきシーンに向けて照準することによってキャプチャされる。レンズは、カメラ電話の端面上に配置される。図５ｂを参照すると、第二の構成では、センサは、携帯電話の幅の広がりと平行な線６２に対して実質的に垂直に配置される平面的な表面を有する。この構成では、画像は、カメラ電話の側面をキャプチャされるべきシーンに向けて標準することによってキャプチャされる。レンズ２２は、カメラ電話の側部上に配置される。
【００１８】
図５ｃを参照すると、第三の構成において、センサは、携帯電話の深さの広がりと平行な線６４に対して実質的に垂直に配置された平面的な表面を有する。この構成では、画像は、カメラ電話の背面をキャプチャされるべきシーンに向けて標準することによってキャプチャされる。レンズ２２は、カメラ電話の（図示されるように）正面又は背面上に配置される。図１０に示されるように、センサ自体は、厚肉端部１４よりも大きくあり得ることによって、センサのために利用可能な空間を最大限化しながら、小さなカメラプロファイルを依然として維持する。光線Ａ及びＢによって例証されるように、レンズ２２を通過する光が、センサの完全な利用可能な結像表面を露光し得ることが必要なだけである。図１０の実施態様は、レンズ２２が厚肉部分１４の正面側１５上に提供されるときに、より大きなセンサ２０を提供するために使用され得る薄肉部分１２の一部を利用する。
【００１９】
折畳式又は非折畳式の光路３０（図６乃至９を参照）を使用する代替的な光学設計が可能である。例えば、図６に示されるように、センサ２０は、（図５ｂに示されるように）カメラ電話の側部に隣接して且つ平行に配置され得るが、レンズ２２は（図５ａ及び５ｃに例証されるように）カメラ電話の端部又は頂部上に配置される。画像品質を最適化し且つ結像モジュールのサイズを最小限化するために、当該技術分野において既知であるように、湾曲された反射的或いは非球面の送信素子３２が、光路３０内で利用され得る。
【００２０】
本発明のさらなる利点は、追加的な装置を収容するために、カメラ電話の厚肉部分１４が利用され得ることである。例えば、カメラ電話の厚肉部分１４は、従来的な音声機能性を提供するマイクロフォン又はスピーカを収容するために利用され得る。代替的に或いは追加的に、レンズを保護するために、可撓レンズカバーが利用され得る。図７を参照すると、保護レンズカバーを含まない、図１乃至５ａに示される実施態様に適した設計が例証されている。この場合には、レンズは環境に晒され、損傷、例えば、引っ掻き傷に晒される。図８は、レンズ２２を露出し或いは保護するために開口４４内のトラックに沿って摺動するハンドル４８を備える可撓レンズカバー４６を利用する代替例を示している。可撓レンズカバーは、可撓性材料から成り得るし、或いは、（巻込戸机に見られるような）一連の結合された非可撓性素子であり得る。レンズカバーは、機械的に或いは電気的に動作され得る。
【００２１】
図９ａ及び９ｂを参照すると、厚肉部分１４は、より複雑な光学系を収容することによって、画像品質を改良し且つカメラ電話によってキャプチャされる得るシーンの範囲を拡大するために利用され得る。例えば、光学ズーム５０が筐体内に配置され得る。図９ａに例証されるように、光学ズームは引っ込められ、図９ｂに例証されるように、それは伸張される。
【００２２】
図１１ａ及び１１ｂを参照すると、薄肉部分２６が本体１０の長さに沿ってヒンジ８について回転し、薄肉部分１２上のディスプレイ４０及び選択ボタン２８を現す実施態様が例証されている。
【００２３】
本発明の好適実施態様によれば、一体化されたカメラを有する携帯電話は、本体と、カメラとを含み、本体は、本体の中央及び第一端部に配置された薄肉部分と、第二端部に配置された主要部分と連続的な厚肉部分とを有し、厚肉部分は、主要部分の最大厚さＴ１よりも少なくとも２．５％大きい厚さＴ２を有し、カメラは、厚肉部分内に配置されたデジタル結像センサとレンズとを含む。例えば、１，０００×１，０００解像度（或いは小さな寸法において画素当たり１０ミクロン）を有する１６ｍｍ×１０ｍｍの活性領域を有するセンサは、センサ活性領域の一方又は両方において解像度を５％増大することによって顕著に改良された性能を有し得る。その結果、少なくとも一次元でのセンサキャビティの物理的サイズにおける５％までの増大が得られる。故に、薄肉部分Ｔ１よりも少なくとも５％厚い厚肉部分Ｔ２が、顕著に改良された性能を有するより大きなセンサの使用を可能にし得る。代替的に、画素の領域を５％だけ増大することは、信号対雑音の顕著な減少、２．５％のセンサ活性領域のエッジ長さの増大、並びに、少なくとも一次元におけるセンサキャビティの物理的サイズの２．５％までの対応する増大をもたらす。故に、薄肉部分の厚さＴ１よりも少なくとも２．５％厚い厚さＴ２を有する厚肉部分が、改良された性能を有するより大きなセンサの使用を可能にし得る。
【００２４】
一部の解決策において、５％改良された性能は十分でないかもしれない。よって、第一薄肉部分１２の厚さＴ１よりも少なくとも１０％、好ましくは、２５％大きな厚肉部分１４の厚さＴ２を有することによって、さらなる改良された結果が得られ得る。もし第一薄肉部分１２の厚さＴ１及び第二薄肉部分２６の厚さＴ３が実質的に等しいならば、厚肉部分１４の厚さＴ２は、薄肉部分１２の厚さＴ１よりも約１００％大きい。
【００２５】
本発明は、カメラ電話の全体的な厚さを増大することを用いてカメラ電話内に増大されたサイズのセンサ並びにより複雑な光学系をもたらし、それによって、カメラ電話の使用性を低減せずに改良された画像品質をもたらすための手段を提供する。本発明は特定の好適実施態様を具体的に参照して詳細に記載されたが、本発明の精神及び範囲内で様々な変形及び修正が行われ得ることが理解されよう。
【図面の簡単な説明】
【００２６】
【図１】本発明の１つの実施態様を示す斜視図である。
【図２】図１の代替的な斜視図である。
【図３ａ】回転可能に結合される２つの構成部品を有する本発明の代替的な実施態様を示す斜視図である。
【図３ｂ】構成部品が回転された状態の図３ａを示す斜視図である。
【図４】構成部品が約２７０度回転された状態の図３ａを示す斜視図である。
【図５ａ】本発明の様々な実施態様に従ったセンサ及びレンズの代替的な配置を示す斜視図である。
【図５ｂ】本発明の様々な実施態様に従ったセンサ及びレンズの代替的な配置を示す斜視図である。
【図５ｃ】本発明の様々な実施態様に従ったセンサ及びレンズの代替的な配置を示す斜視図である。
【図６】本発明のさらに他の実施態様の光路を示す概略図である。
【図７】図１、２、３ａ、３ｂ、及び、４の実施態様を示す側面図である。
【図８】レンズカバーを利用する本発明の代替的な実施態様を示す側面図である。
【図９ａ】本発明の他の代替的な実施態様に従ったズームレンズの使用を示す側面図である。
【図９ｂ】本発明の他の代替的な実施態様に従ったズームレンズの使用を示す側面図である。
【図１０】本発明の他の修正された実施態様を示す部分側面図である。
【図１１ａ】本発明のさらに他の修正された実施態様を示す側面図である。
【図１１ｂ】本発明のさらに他の修正された実施態様を示す側面図である。
【符号の説明】
【００２７】
１０  カメラ電話本体
１２  薄肉部分
１４  厚肉部分
１５  正面側
１６  カメラ
１８  ヒンジ
２０  センサ
２２  レンズ
２６  第二薄肉部分
２７  第一端部
２８  選択ボタン
３０  光路
３２  湾曲反射／非球面送信素子
４０  ディスプレイ
４２  シャッタートリガ機構
４４  開口
４６  レンズカバー
４８  ハンドル
５０  ズームレンズ
６０  線
６２  線
６４  線
【図１】
2008535315.tif 000003
【図２】
2008535315.tif 000004
【図３Ａ】
2008535315.tif 000005
【図３Ｂ】
2008535315.tif 000006
【図４】
2008535315.tif 000007
【図５Ａ】
2008535315.tif 000008
【図５Ｂ】
2008535315.tif 000009
【図５Ｃ】
2008535315.tif 000010
【図６】
2008535315.tif 000011
【図７】
2008535315.tif 000012
【図８】
2008535315.tif 000013
【図９Ａ】
2008535315.tif 000014
【図９Ｂ】
2008535315.tif 000015
【図１０】
2008535315.tif 000016
【図１１Ａ】
2008535315.tif 000017
【図１１Ｂ】
2008535315.tif 000018
【国際調査報告】
2008535315.tif 000019
2008535315.tif 000020